(57)【要約】【課題】コンテンツの見易さを損ねることなく、容易にサービスを享受可能な映像表示システムを提供する。【解決手段】映像表示システムは、通信端末装置と、映像表示装置とを含む。映像表示装置は、ネットワークから取得したコンテンツを表示し、表示している表示コンテンツに基づいて、表示コンテンツの少なくとも一部に関連する操作を通信端末装置で行なうための操作データを生成し、操作データを、通信端末装置へ送信する。通信端末装置は、受信した操作データに基づく画像であって、表示コンテンツの少なくとも一部に関連する操作を行なうための操作画像を表示し、操作画像に対する指示入力に基づいて、ネットワークに接続されているサービスサーバからサービスを享受するためのデータ通信を、サービスサーバと行なう。【選択図】図１１
2008131337.tif 000002
【特許請求の範囲】
【請求項１】
通信端末装置と、ネットワークに接続される映像表示装置とを含む映像表示システムであって、
前記映像表示装置は、
前記ネットワークからコンテンツを取得する第１取得手段と、
前記第１取得手段により取得されたコンテンツを表示する第１表示手段と、
前記第１表示手段により表示されているコンテンツである表示コンテンツに基づいて、前記表示コンテンツの少なくとも一部に関連する操作を前記通信端末装置で行なうための操作データを生成する生成手段と、
前記生成手段により生成された前記操作データを、前記通信端末装置へ送信する送信手段とを備え、
前記通信端末装置は、
前記送信手段により送信された前記操作データを受信する受信手段と、
受信した前記操作データに基づく画像であって、前記表示コンテンツの少なくとも一部に関連する操作を行なうための操作画像を表示する第２表示手段と、
前記第２表示手段により表示されている前記操作画像に対する指示入力に基づいて、前記ネットワークに接続されているサービスサーバからサービスを享受するためのデータ通信を、前記サービスサーバと行なう通信手段とを備える、映像表示システム。
【請求項２】
通信端末装置と、ネットワークに接続される映像表示装置とを含む映像表示システムであって、
前記映像表示装置は、
前記ネットワークから、コンテンツと、該コンテンツの少なくとも一部に関連する操作を前記通信端末装置で行なうための操作データとを取得する第１取得手段と、
前記第１取得手段により取得されたコンテンツを表示する第１表示手段と、
取得された前記操作データを、前記通信端末装置へ送信する送信手段とを備え、
前記通信端末装置は、
前記送信手段により送信された前記操作データを受信する受信手段と、
受信した前記操作データに基づく画像であって、前記第１表示手段により表示されているコンテンツである表示コンテンツの少なくとも一部に関連する操作を行なうための操作画像を表示する第２表示手段と、
前記第２表示手段により表示されている前記操作画像に対する指示入力に基づいて、前記ネットワークに接続されているサービスサーバからサービスを享受するためのデータ通信を、前記サービスサーバと行なう通信手段とを備える、映像表示システム。
【請求項３】
前記操作データは、前記通信端末装置の前記第２表示手段の表示能力に応じたデータである、請求項２に記載の映像表示システム。
【請求項４】
前記第１表示手段により表示される前記表示コンテンツは、複数の商品情報であり、
前記通信端末装置は、さらに、
前記複数の商品情報のうちの少なくとも１つを選択するための選択手段を備え、
前記第２表示手段により表示される前記操作画像は、前記複数の商品情報のうち、前記選択手段により選択された商品情報の示す商品の購入を行なうための画像である、請求項１または２に記載の映像表示システム。
【請求項５】
前記サービスサーバから享受するサービスは、前記複数の商品情報のうち、前記選択手段により選択された商品情報の示す商品の決済である、請求項４に記載の映像表示システム。
【発明の詳細な説明】
【技術分野】
【０００１】
本発明は、映像表示システムに関し、特に、コンテンツの表示制御を行なう映像表示システムに関する。
【背景技術】
【０００２】
近年、インターネットの普及により、当該インターネットを利用して、商品の購入、決済を行なうユーザが増えつつある。
【０００３】
特開２００２−２３２８６６号公報（特許文献１）には、ユーザが受信端末を操作することで、受信端末に商品の情報を表示させて、希望商品の購入、決済をする技術（以下、第１の先行技術ともいう）が開示されている。
【特許文献１】特開２００２−２３２８６６号公報
【発明の開示】
【発明が解決しようとする課題】
【０００４】
最近では、インターネットを利用して、商品の購入、決済等のショッピングが可能なテレビ受像機等の映像表示装置も増えつつある。しかしながら、映像表示装置のみで、商品の購入、決済といったサービスを享受するためには、映像表示装置に、商品情報を表示させた後、商品の決済を行なう画面を表示させる必要がある。
【０００５】
したがって、商品の決済を行なうときには、一般的に、映像表示装置には、コンテンツとしての商品情報が表示されていない。このため、商品の決済を行なうときには、コンテンツとしての商品情報を見ることができない。また、商品の決済をする直前で、ユーザの気が変わり、別の商品情報も参照したくなった場合、再度、コンテンツとしての商品情報を映像表示装置に表示させる操作を行なうといった手間をユーザにかけてしまうという問題点がある。特開２００２−２３２８６６号公報（特許文献１）には、上記問題点を解決するための技術は開示されていない。
【０００６】
本発明は、上述の問題点を解決するためになされたものであって、その目的は、コンテンツの見易さを損ねることなく、容易にサービスを享受可能な映像表示システムを提供することである。
【課題を解決するための手段】
【０００７】
上述の課題を解決するために、この発明のある局面に従う映像表示システムは、通信端末装置と、ネットワークに接続される映像表示装置とを含む。映像表示装置は、ネットワークからコンテンツを取得する第１取得手段と、第１取得手段により取得されたコンテンツを表示する第１表示手段と、第１表示手段により表示されているコンテンツである表示コンテンツに基づいて、表示コンテンツの少なくとも一部に関連する操作を通信端末装置で行なうための操作データを生成する生成手段と、生成手段により生成された操作データを、通信端末装置へ送信する送信手段とを備え、通信端末装置は、送信手段により送信された操作データを受信する受信手段と、受信した操作データに基づく画像であって、表示コンテンツの少なくとも一部に関連する操作を行なうための操作画像を表示する第２表示手段と、第２表示手段により表示されている操作画像に対する指示入力に基づいて、ネットワークに接続されているサービスサーバからサービスを享受するためのデータ通信を、サービスサーバと行なう通信手段とを備える。
【０００８】
この発明の他の局面に従う映像表示システムは、通信端末装置と、ネットワークに接続される映像表示装置とを含む。映像表示装置は、ネットワークから、コンテンツと、該コンテンツの少なくとも一部に関連する操作を通信端末装置で行なうための操作データとを取得する第１取得手段と、第１取得手段により取得されたコンテンツを表示する第１表示手段と、取得された操作データを、通信端末装置へ送信する送信手段とを備え、通信端末装置は、送信手段により送信された操作データを受信する受信手段と、受信した操作データに基づく画像であって、第１表示手段により表示されているコンテンツである表示コンテンツの少なくとも一部に関連する操作を行なうための操作画像を表示する第２表示手段と、第２表示手段により表示されている操作画像に対する指示入力に基づいて、ネットワークに接続されているサービスサーバからサービスを享受するためのデータ通信を、サービスサーバと行なう通信手段とを備える。
【０００９】
好ましくは、操作データは、通信端末装置の第２表示手段の表示能力に応じたデータである。
【００１０】
好ましくは、第１表示手段により表示される表示コンテンツは、複数の商品情報であり、通信端末装置は、さらに、複数の商品情報のうちの少なくとも１つを選択するための選択手段を備え、第２表示手段により表示される操作画像は、複数の商品情報のうち、選択手段により選択された商品情報の示す商品の購入を行なうための画像である。
【００１１】
好ましくは、サービスサーバから享受するサービスは、複数の商品情報のうち、選択手段により選択された商品情報の示す商品の決済である。
【発明の効果】
【００１２】
本発明に係る映像表示システムは、通信端末装置と、映像表示装置とを含む。映像表示装置は、ネットワークから取得したコンテンツを表示し、表示している表示コンテンツに基づいて、表示コンテンツの少なくとも一部に関連する操作を通信端末装置で行なうための操作データを生成し、操作データを、通信端末装置へ送信する。通信端末装置は、操作データを受信し、受信した操作データに基づく画像であって、表示コンテンツの少なくとも一部に関連する操作を行なうための操作画像を表示し、操作画像に対する指示入力に基づいて、ネットワークに接続されているサービスサーバからサービスを享受するためのデータ通信を、サービスサーバと行なう。
【００１３】
したがって、映像表示装置でコンテンツを表示させた状態で、別の装置である通信端末装置で、操作画像に対する指示入力を行なうことにより、サービスサーバからサービスを享受することができる。その結果、コンテンツの見易さを損ねることなく、容易にサービスを享受できるという効果を奏する。
【００１４】
本発明に係る映像表示システムは、通信端末装置と、映像表示装置とを含む。映像表示装置は、ネットワークから、コンテンツと、該コンテンツの少なくとも一部に関連する操作を通信端末装置で行なうための操作データとを取得し、取得したコンテンツを表示し、取得された操作データを、通信端末装置へ送信する。通信端末装置は、操作データを受信し、受信した操作データに基づく画像であって、表示コンテンツの少なくとも一部に関連する操作を行なうための操作画像を表示し、操作画像に対する指示入力に基づいて、ネットワークに接続されているサービスサーバからサービスを享受するためのデータ通信を、サービスサーバと行なう。
【００１５】
したがって、映像表示装置でコンテンツを表示させた状態で、別の装置である通信端末装置で、操作画像に対する指示入力を行なうことにより、サービスサーバからサービスを享受することができる。その結果、コンテンツの見易さを損ねることなく、容易にサービスを享受できるという効果を奏する。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００１８】
＜第１の実施の形態＞
（システムの構成）
図１は、本実施の形態におけるネットワークシステム１０００の構成を示す図である。図１を参照して、ネットワークシステム１０００には、ホームネットワーク５０１が含まれる。
【００１９】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２０】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２１】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２２】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＰＣ、ＨＤＤレコーダ、ＤＶＤ（Digital Versatile Disc）レコーダ等である。
【００２３】
通信端末装置５００と、映像表示装置６００とは、無線または有線でデータ通信を行なう。すなわち、通信端末装置５００と、映像表示装置６００とから映像表示システムが構成される。
【００２４】
通信部５０は、通信端末装置５００、映像表示装置６００およびネットワーク７０の各々と、データ通信を行なう機能を有する。ネットワーク７０は、インターネットなどの外部のネットワークである。
【００２５】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２６】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２７】
また、ネットワーク７０は、電話網６０と、無線または有線によりデータ通信可能である。したがって、通信端末装置５００は、電話網６０を介して、ネットワーク７０とデータ通信可能である。
【００２８】
ネットワークシステム１０００には、さらに、サービスサーバ８００Ａと、検索サーバ８００Ｓと、Ｗｅｂサーバ８００Ｗとが含まれる。
【００２９】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３０】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３１】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３２】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３３】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３４】
サービスサーバ８００Ａ、検索サーバ８００ＳおよびＷｅｂサーバ８００Ｗの各々は、ネットワーク７０と、無線または有線でデータ通信を行なう。
【００３５】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００３６】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００３７】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００３８】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００３９】
（通信端末装置）
次に、通信端末装置５００について詳細に説明する。
【００４０】
図２は、通信端末装置５００の外観を正面から示した図である。図２を参照して、通信端末装置５００は、表示部５３０と、音声出力部５７０と、ＬＥＤ５７６と、入力部５４０とを備える。
【００４１】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００４２】
表示部５３０の解像度は、横４８０（ドット）×縦６４０（ドット）である。なお、表示部５３０の解像度は、横４８０（ドット）×縦６４０（ドット）に限定されることなく、他の解像度であってもよい。
【００４３】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４４】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４５】
ＬＥＤ５７６は、通信端末装置５００で行なわれる処理に応じて、光による報知を行なう。たとえば、ＬＥＤ５７６は、電話の着信があった場合、光を点滅させる。
【００４６】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００４７】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００４８】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００４９】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５０】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５１】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５２】
図３は、通信端末装置５００の内部構成を示したブロック図である。なお、図３には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５３】
図３を参照して、通信端末装置５００は、さらに、制御部５１０と、一時記憶部５２２と、記憶部５２０とを備える。
【００５４】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００５５】
制御部５１０は、記憶部５２０に記憶されたプログラム１８０に従って、通信端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００５６】
一時記憶部５２２は、制御部５１０によってデータアクセスされ、一時的にデータを記憶するワークメモリとして使用される。一時記憶部５２２は、ＲＡＭ（Random Access Memory）である。なお、一時記憶部５２２は、ＲＡＭに限定されることなく、データを揮発的に記憶可能なその他の回路であってもよい。
【００５７】
通信端末装置５００は、さらに、ＶＤＰ５３２と、ＶＲＡＭ（Video Random Access Memory）５３６とを備える。
【００５８】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００５９】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００６０】
通信端末装置５００は、さらに、入力部５４０と、記録媒体アクセス部５５０を備える。
【００６１】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００６２】
記録媒体アクセス部５５０は、記録媒体５５５が、通信端末装置５００の外部に設けられた、記録媒体を挿入するための記録媒体挿入部（図示せず）に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００６３】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００６４】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００６５】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００６６】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００６７】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００６８】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００６９】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００７０】
通信部５６２は、制御部５１０と、データの送受信を行なう。通信部５６２は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５６２は、無線により、通信部５０とデータ通信を行なうことができる。
【００７１】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００７２】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００７３】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００７４】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００７５】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００７６】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００７７】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００７８】
通信端末装置５００は、さらに、通信端末装置５００の外部に設けられた、音声出力部５７２を備える。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００７９】
制御部５１０は、前述した音声出力部５７０，５７２、音声入力部５７４とデータ通信する。
【００８０】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００８１】
ユーザが音声入力部５７４に含まれるマイクに対して音声を発すると、音声入力部５７４は、マイクにより取得した音声を音声データに変換して、音声データを、制御部５１０へ送信する。
【００８２】
制御部５１０は、前述したＬＥＤ５７６とデータ通信する。ＬＥＤ５７６は、制御部５１０からの制御指示に基づいて、光を発する。
【００８３】
（映像表示装置）
次に、映像表示装置６００について詳細に説明する。
【００８４】
図４は、映像表示装置６００の内部構成を示したブロック図である。なお、図４には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００８５】
図４を参照して、映像表示装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度であってもよい。
【００８６】
音声出力部６７０は、映像表示装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００８７】
映像表示装置６００は、さらに、制御部６１０と、一時記憶部６２２と、記憶部６２０とを備える。
【００８８】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【００８９】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【００９０】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００９１】
映像表示装置６００は、さらに、アンテナ６０２と、チューナ６０５と、データ処理部６０７とを備える。
【００９２】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【００９３】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【００９４】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【００９５】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【００９６】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ（Moving Picture Experts Group）２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。
【００９７】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、Ｈ．２６４等の形式である。
【００９８】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【００９９】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１００】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１０１】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１０２】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１０３】
映像表示装置６００は、さらに、ＶＤＰ６３２と、ＶＲＡＭ６３６とを備える。
ＶＲＡＭ６３６は、画像データを一時的に記憶する機能を有する。
【０１０４】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１０５】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１０６】
映像表示装置６００は、さらに、入力部６４０と、記録媒体アクセス部６５０とを備える。
【０１０７】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１０８】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１０９】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１１０】
記録媒体５５５Ａは、ＳＤメモリーカード（登録商標）である。なお、記録媒体５５５は、ＳＤメモリーカード（登録商標）に限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＣＤ−ＲＯＭ（Compact Disk Read Only Memory）、等であってもよい。
【０１１１】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１１２】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１１３】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１１４】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１１５】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１１６】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１１７】
（サービスサーバ、検索サーバおよびＷｅｂサーバ）
図５は、サービスサーバ８００Ａの内部構成を示したブロック図である。図５を参照して、サービスサーバ８００Ａは、表示部８３０と、制御部８１０と、一時記憶部８２２と、記憶部８２０とを備える。
【０１１８】
表示部８３０は、文字や画像等を表示する機能を有する。表示部８３０は、前述の表示部６３０と同様なものであるので詳細な説明は繰り返さない。
【０１１９】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１２０】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１２１】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１２２】
サービスサーバ８００Ａは、さらに、ＶＤＰ８３２と、ＶＲＡＭ８３６とを備える。
ＶＲＡＭ８３６は、画像データを一時的に記憶する機能を有する。
【０１２３】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１２４】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１２５】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１２６】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１２７】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１２８】
なお、検索サーバ８００ＳおよびＷｅｂサーバ８００Ｗの各々も、前述したサービスサーバ８００Ａと同様な構成を有するので詳細な説明は繰り返さない。
【０１２９】
（リモコン）
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１３０】
図６は、一例としてのリモコン画像ＭＧ１００を示す図である。図６を参照して、リモコン画像ＭＧ１００には、ボタン画像ＭＢＧ１１０，ＭＢＧ１２０，ＭＢＧ１３０が配置される。
【０１３１】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１３２】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１３３】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１３４】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１３５】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１３６】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１３７】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１３８】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。
【０１３９】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。
【０１４０】
リモコン画像ＭＧ１００には、さらに、ボタン画像ＭＢＧ１８０が配置される。ボタン画像ＭＢＧ１８０は、インターフェース操作Ｍにより、押下処理されることで、制御部５１０が、後述の対応するリモコン信号を、通信部５６０を利用して、映像表示装置６００へ送信するためのボタン画像である。
【０１４１】
以下においては、通信端末装置５００が、映像表示装置６００へリモコン信号を送信することで映像表示装置６００を操作可能な場合における、通信端末装置５００の動作モードを、リモコンモードともいう。
【０１４２】
（事前登録）
次に、通信端末装置５００が、サービスサイトに登録する処理（以下、登録処理ともいう）について説明する。サービスサイトは、サービスを提供するＷｅｂサイトある。ここで、サービスサイトが提供するサービスは、たとえば、コンテンツの配信である。配信されるコンテンツは、たとえば、動画像データ、ニュース等の情報等である。また、サービスサイトが提供するサービスは、たとえば、インターネットにおける、商品の決済である。ここで、サービスサイトは、サービスサーバ８００Ａが提供するサイトであるとする。サービスサイトが提供するデータは、サービスサーバ８００Ａの記憶部８２０に記憶されている。
【０１４３】
通信端末装置５００は、サービスサイトに登録することで、サービスサイトから、様々なサービスを享受することが可能となる。サービスサイトは、サービスサーバ８００Ａが提供するＷｅｂサイトであるので、サービスサーバ８００Ａが提供するサービスサイトに登録することは、サービスサーバ８００Ａに対し登録することになる。
【０１４４】
前述のプログラム１８０には、さらに、サービスサイトにアクセスするためのＷｅｂブラウザを表示部５３０に表示するためのＷｅｂブラウザプログラムが含まれる。以下の登録処理は、インターフェース操作Ｍにより、制御部５１０がプログラム１８０のＷｅｂブラウザプログラムを実行した状態で行なわれるとする。これにより、表示部５３０には、以下のＷｅｂブラウザ画像ＭＧ２００が表示されているとする。
【０１４５】
図７は、一例としてのＷｅｂブラウザ画像ＭＧ２００を示す図である。図７を参照して、Ｗｅｂブラウザ画像ＭＧ２００には、ＵＲＬ表示画像ＭＧ２１０と、Ｗｅｂページ画像ＭＧ２２０と、ボタン画像ＭＢＧ２８１とが配置される。
【０１４６】
ＵＲＬ表示画像ＭＧ２１０には、インターフェース操作Ｍにより、サービスサイトに登録するためのＷｅｂページのＵＲＬが入力されている。
【０１４７】
Ｗｅｂページ画像ＭＧ２２０は、サービスサーバ８００Ａの提供するサービスサイト内にあるＷｅｂページである。Ｗｅｂページ画像ＭＧ２２０は、サービスサイトに登録するためのＷｅｂページを表示した画像である。Ｗｅｂページ画像ＭＧ２２０には、インターフェース操作Ｍにより、サービスサイトの登録に必要な情報が入力されている。サービスサイトの登録に必要な情報は、たとえば、名前、メールアドレス、性別等の情報である。なお、カード番号とは、たとえば、クレジットカードの番号である。カード番号の入力は任意であるが、カード番号を入力しておくことで、登録したサービスサイトにおいて決済を行なうことが可能となる。
【０１４８】
Ｗｅｂページ画像ＭＧ２２０には、ボタン画像ＭＢＧ２８５が配置されている。ボタン画像ＭＢＧ２８５は、インターフェース操作Ｍにより押下処理されることにより、サービスサイトに登録する処理を許可するためのボタン画像である。
【０１４９】
ボタン画像ＭＢＧ２８１は、インターフェース操作Ｍにより押下処理されることにより、Ｗｅｂブラウザ画像Ｇ２００内に、現在、表示されているＷｅｂページ画像ＭＧ２２０の前に、Ｗｅｂブラウザ画像ＭＧ２００に表示されていたＷｅｂページ画像（以下、旧Ｗｅｂページ画像ともいう）が存在する場合、旧Ｗｅｂページ画像をＷｅｂブラウザ画像ＭＧ２００に表示させるためのボタン画像である。
【０１５０】
図８は、登録処理のフローチャートである。図８では、通信端末装置５００およびサービスサーバ８００Ａの各々において行なわれる処理を示す。図８を参照して、通信端末装置５００では、まず、ステップＳ１１０の処理が行なわれる。
【０１５１】
ステップＳ１１０では、制御部５１０が、登録許可操作があるか否かを判定する。登録許可操作とは、表示部５３０にＷｅｂブラウザ画像ＭＧ２００が表示されている状態で、ボタン画像ＭＢＧ２８５を押下処理するためのインターフェース操作Ｍである。ステップＳ１１０において、ＹＥＳならば、ステップＳ１１２に進む。一方、ステップＳ１１０において、ＮＯならば、再度、ステップＳ１１０の処理が行なわれる。
【０１５２】
ステップＳ１１２では、制御部５１０が、登録情報を、サービスサーバ８００Ａへ送信する。登録情報には、たとえば、名前、メールアドレス、性別、カード番号等の情報と、登録する通信端末装置（たとえば、装置ＩＤ等）の情報とが含まれる。その後、ステップＳ１１２の処理は終了する。
【０１５３】
サービスサーバ８００Ａでは、まず、ステップＳ１２０の処理が行なわれる。
ステップＳ１２０では、制御部８１０が、登録情報を受信したか否かを判定する。ステップＳ１２０において、ＹＥＳならば、ステップＳ１２２に進む。一方、ステップＳ１２０において、ＮＯならば、再度、ステップＳ１２０の処理が行なわれる。
【０１５４】
ステップＳ１２２では、制御部８１０が、ユーザ識別情報を、通信端末装置５００へ送信する。ユーザ識別情報は、通信端末装置５００を特定するための識別情報である。ユーザ識別情報は、たとえば、クッキーである。ステップＳ１２２の処理が終了すると、再度、ステップＳ１２０の処理が行なわれる。
【０１５５】
通信端末装置５００では、ステップＳ１１２の処理が終了すると、ステップＳ１１４に進む。
【０１５６】
ステップＳ１１４では、制御部５１０が、サービスサーバ８００Ａから送信されたユーザ識別情報を受信する。その後、ステップＳ１１６に進む。
【０１５７】
ステップＳ１１６では、制御部５１０が、受信したユーザ識別情報を、登録したサービスサイトのサイト名およびＵＲＬに対応づけて記憶部５２０に記憶させる。以上により、通信端末装置５００での処理は終了する。
【０１５８】
通信端末装置５００が、複数種類のサービスサイトに対し、前述した登録処理を行なうことで、記憶部５２０には、以下のユーザ識別情報登録データテーブルＤ１００が記憶される。
【０１５９】
図９は、一例としてユーザ識別情報登録テーブルＤ１００を示す図である。図９を参照して、ユーザ識別情報登録テーブルＤ１００は、複数のユーザ識別情報登録データから構成される。「番号」とは、複数のユーザ識別情報登録データの各々を特定するための番号である。「ＵＲＬ」とは、登録したサービスサイトのＵＲＬである。「ユーザ識別情報」とは、登録したサービスサイトから受信したユーザ識別情報（たとえば、クッキー）である。
【０１６０】
ここで、番号“１”のユーザ識別情報登録データに示されるサイト名が「ＡＢショップ」というサービスサイトは、商品等の購入・決済等を行なうことができるショッピングサイトである。
【０１６１】
（データ通信）
次に、リモコンモードの通信端末装置５００で行なわれる処理（以下、操作判定処理Ｍともいう）と、通信端末装置５００から送信されるリモコン信号を受信した場合に映像表示装置６００で行なわれる処理（以下、制御信号対応処理Ｔともいう）について説明する。
【０１６２】
図１０は、操作判定処理Ｍおよび制御信号対応処理Ｔのフローチャートである。図１０を参照して、通信端末装置５００が行なう操作判定処理Ｍでは、まず、ステップＳ１０の処理が行なわれる。
【０１６３】
ステップＳ１０では、制御部５１０が、制御操作があるか否かを判定する。ここで、制御操作は、表示部５３０に対するタッチ操作、または、通信端末装置５００の外部に設けられた複数の外部ボタンのいずれかの押下操作である。複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂである。ステップＳ１０において、ＹＥＳならば、ステップＳ１２に進む。一方、ステップＳ１０において、ＮＯならば、再度、ステップＳ１０の処理が行なわれる。
【０１６４】
ステップＳ１２では、制御部５１０が、通信部５６０を利用して、制御操作に対応する制御信号としてのリモコン信号を、映像表示装置６００へ送信する。ステップＳ１２の処理が終了すると、再度、ステップＳ１０の処理が行なわれる。
【０１６５】
映像表示装置６００が行なう制御信号対応処理Ｔでは、まず、ステップＳ２０の処理が行なわれる。
【０１６６】
ステップＳ２０では、制御部６１０が、制御信号としてのリモコン信号を受信したか否かを判定する。ステップＳ２０において、ＹＥＳならば、ステップＳ２２に進む。一方、ステップＳ２０において、ＮＯならば、再度、ステップＳ２０の処理が行なわれる。
【０１６７】
ステップＳ２２では、制御信号対応処理が行なわれる。制御信号対応処理では、制御部６１０が、受信したリモコン信号に応じた処理を行なう。ステップＳ２２の処理が終了すると、再度、ステップＳ２０の処理が行なわれる。
【０１６８】
（ショッピングサイトへのアクセス）
次に、通信端末装置５００がショッピングサイトへアクセスする場合の処理（以下、サイトアクセス処理ともいう）について説明する。なお、通信端末装置５００は、リモコンモードであり、表示部５３０には、図６のリモコン画像ＭＧ１００が表示されているとする。
【０１６９】
図１１は、サイトアクセス処理のフローチャートである。図１１では、通信端末装置５００、映像表示装置６００およびサービスサーバ８００Ａの各々において行なわれる処理を示す。図１１を参照して、通信端末装置５００では、まず、ステップＳ２１０の処理が行なわれる。
【０１７０】
ステップＳ２１０では、制御部５１０が、ショッピングサイトアクセス操作があるか否かを判定する。ショッピングサイトアクセス操作は、リモコン画像ＭＧ１００内のボタン画像ＭＢＧ１８０を押下処理するためのインターフェース操作Ｍである。ステップＳ２１０において、ＹＥＳならば、ステップＳ２１２に進む。一方、ステップＳ２１０において、ＮＯならば、再度、ステップＳ２１０の処理が行なわれる。
【０１７１】
ステップＳ２１２では、制御部５１０が、リモコン信号としてのショッピングサイトアクセス指示を、映像表示装置６００へ送信する。送信されるショッピングサイトアクセス指示には、図９のユーザ識別情報登録テーブルＤ１００に示される、サイト名「ＡＢショップ」のＵＲＬ（http://www.abshop.com/）と、対応するユーザ識別情報（ａｂｋｋ）と、以下の表示能力データＤ１５０とが含まれる。そして、ステップＳ２１２の処理は終了する。表示能力データＤ１５０は、通信端末装置５００の表示部５３０の表示能力の情報を示すデータである。
【０１７２】
図１２は、一例としての表示能力データＤ１５０を示す図である。図１２を参照して、表示能力データＤ１５０において、「解像度」とは、通信端末装置５００の表示部５３０の解像度である。表示部５３０の解像度は、一例として、横４８０（ドット）×縦６４０（ドット）であるとする。「サムネイルサイズ」とは、表示部５３０に表示される、あるサイズの画像を縮小した縮小画像のサイズである。縮小画像のサイズは、一例として、横１００（ドット）×縦１００（ドット）であるとする。「フォントサイズ」とは、表示部５３０に表示される文字のサイズである。表示部５３０に表示される文字のサイズは、一例として、８ポイントであるとする。
【０１７３】
再び、図１１を参照して、映像表示装置６００では、まず、ステップＳ２４０の処理が行なわれる。
【０１７４】
ステップＳ２４０では、制御部６１０が、リモコン信号としてのショッピングサイトアクセス指示を受信したか否かを判定する。ステップＳ２４０において、ＹＥＳならば、ステップＳ２４２に進む。一方、ステップＳ２４０において、ＮＯならば、再度、ステップＳ２４０の処理が行なわれる。
【０１７５】
ステップＳ２４２では、ショッピングサイトアクセス処理Ｔが行なわれる。ショッピングサイトアクセス処理Ｔでは、まず、制御部６１０が、受信したショッピングサイトアクセス指示に含まれる表示能力データＤ１５０を、記憶部６２０に記憶させる。
【０１７６】
そして、制御部６１０は、サイトアクセス指示Ｔを、受信したショッピングサイトアクセス指示に含まれるＵＲＬのサービスサイトへ送信する。ここで、受信したショッピングサイトアクセス指示に含まれるＵＲＬのサービスサイトは、サイト名が「ＡＢショップ」のサービスサイトである。サイト名が「ＡＢショップ」のサービスサイトは、サービスサーバ８００Ａが提供するＷｅｂサイトであるとする。この場合、サイトアクセス指示Ｔは、サービスサーバ８００Ａへ送信される。送信されるサイトアクセス指示Ｔには、サービスサイトのＵＲＬ（http://www.abshop.com/）が含まれる。
【０１７７】
サービスサーバ８００Ａでは、まず、ステップＳ２８０の処理が行なわれる。
ステップＳ２８０では、制御部８１０が、サイトアクセス指示Ｔを受信したか否かを判定する。ステップＳ２８０において、ＹＥＳならば、ステップＳ２８２に進む。一方、ステップＳ２８０において、ＮＯならば、再度、ステップＳ２８０の処理が行なわれる。
【０１７８】
ステップＳ２８２では、制御部８１０が、サイトアクセス指示Ｔによりアクセスが要求されているサービスサイト（以下、アクセス要求サイトともいう）のＷｅｂデータを、サイトアクセス指示Ｔを送信した映像表示装置６００へ送信する。そして、ステップＳ２８２の処理は終了し、再度、ステップＳ２８０の処理が行なわれる。
【０１７９】
ここで、送信されるＷｅｂデータは、ＨＴＭＬ（HyperText Markup Language）形式のデータである。なお、Ｗｅｂデータは、ＨＴＭＬ形式のデータに限定されることなく、他の形式のデータであってもよい。ここで、アクセス要求サイトは、サイト名が「ＡＢショップ」のサービスサイトであるとする。この場合、アクセス要求サイトのＷｅｂデータは、以下の共通部データＤ２１０と、商品データテーブルＤ２２０と、画像データとが含まれる。
【０１８０】
図１３は、一例としての共通部データＤ２１０および商品データテーブルＤ２２０を示す図である。図１３（Ａ）は、一例としての共通部データＤ２１０を示す図である。図１３（Ａ）を参照して、共通部データＤ２１０において、「サイト名」は、サービスサイトの名称である。「ＵＲＬ」とは、「サイト名」の項目に示されるサービスサイトのＵＲＬである。なお、それ以外の項目については後述する。
【０１８１】
図１３（Ｂ）は、一例としての商品データテーブルＤ２２０を示す図である。図１３（Ｂ）を参照して、商品データテーブルＤ２２０は、複数の商品データから構成される。「番号」とは、複数の商品データの各々を特定するための番号である。「商品ＩＤ」とは、商品を特定するためのＩＤである。なお、それ以外の項目については後述する。なお、複数の商品データの各々には、対応するＷｅｂデータに含まれる画像データが対応付けられる。
【０１８２】
サイト名が「ＡＢショップ」のサービスサイトのＷｅｂデータに基づいて生成されるＷｅｂ画像は、以下のＷｅｂ画像Ｇ１００である。
【０１８３】
図１４は、一例としてのＷｅｂ画像Ｇ１００を示す図である。図１４を参照して、Ｗｅｂ画像Ｇ１００は、バナー広告画像Ｇ１１０と、商品データテーブル画像Ｇ１２０とが配置される。バナー広告画像Ｇ１１０は、Ｗｅｂデータに含まれる画像データである。バナー広告画像Ｇ１１０のサイズは、一例として、横１０００（ドット）×縦１００（ドット）である。
【０１８４】
バナー広告画像Ｇ１１０には、特定のＵＲＬが関連付けられる。バナー広告画像Ｇ１１０に関連付けられるＵＲＬは、図１３（Ａ）の共通部データＤ２１０の「ＡＤ  ＵＲＬ」の項目に示されるＵＲＬ“http://www.aa.com/nn/”である。バナー広告画像Ｇ１１０は、クリックされることにより、関連づけられたＵＲＬにアクセスするための画像である。また、バナー広告画像Ｇ１１０の広告名は、図１３（Ａ）の共通部データＤ２１０の「広告名」の項目に示される「ＮＮ音楽」である。
【０１８５】
商品データテーブル画像Ｇ１２０は、図１３（Ｂ）の商品データテーブルＤ２２０を構成する複数の商品データと、当該複数の商品データの各々に対応づけられる画像データとにより生成される画像データである。商品データテーブル画像Ｇ１２０には、商品データテーブルＤ２２０を構成する複数の商品データにそれぞれ基づく複数の商品詳細情報が表示される。複数の商品詳細情報は、当該複数の商品データをそれぞれ特定する番号が対応付けられる。
【０１８６】
たとえば、商品データテーブル画像Ｇ１２０の番号“１” の商品詳細情報は、商品データテーブルＤ２２０の番号“１”の商品データに示される「商品名」、「商品情報」および「価格」等の情報を含む。「商品名」とは、商品の名称である。「商品情報」とは、対応する商品の情報である。たとえば、商品データテーブル画像Ｇ１２０の番号“１”の商品詳細情報により示される商品が、たとえば、音楽ＣＤの場合、「商品情報」は、音楽ＣＤのタイトル、曲名、アーティスト名等の情報となる。
【０１８７】
商品データテーブル画像Ｇ１２０の各番号に対応する部分には、商品画像が表示される。商品画像は、たとえば、対応する商品詳細情報により示される商品の写真等の画像である。たとえば、商品データテーブル画像Ｇ１２０の番号“１”に対応する部分には、商品画像ＩＭＧ１２１が表示される。商品画像ＩＭＧ１２１は、図１３（Ｂ）の商品データテーブルＤ２２０の番号“１” の商品データに対応付けられた画像である。商品画像ＩＭＧ１２１のデータは、ステップＳ２８２の処理で送信されるＷｅｂデータに含まれる。
【０１８８】
また、商品画像ＩＭＧ１２１のデータの名称は、商品データテーブルＤ２２０の番号“１”の商品データに示される「画像データ名」“ＩＭＧ００１”である。なお、商品画像ＩＭＧ１２１のサイズは、一例として、横１４０（ドット）×縦１４０（ドット）である。
【０１８９】
商品データテーブル画像Ｇ１２０の各番号に対応する部分には、ボタン画像が配置される。ボタン画像には、商品データテーブルＤ２２０の各商品データが示す「リンク先」の項目に示される、ＵＲＬが関連付けられる。なお、ボタン画像も、対応するＷｅｂデータに含まれる。
【０１９０】
たとえば、商品データテーブル画像Ｇ１２０の番号“１”に対応する部分には、ボタン画像ＢＧ１２１が表示される。ボタン画像ＢＧ１２１には、商品データテーブルＤ２２０の番号“１” の商品データに示される「リンク先」の項目に示されるＵＲＬ（http://www.abshop.com/conf/）が関連付けられる。「リンク先」の項目に示されるＵＲＬは、商品決済を行なうためのＷｅｂページのＵＲＬである。なお、ＵＲＬが“http://www.abshop.com/conf/”のＷｅｂページは、サイト名が「ＡＢショップ」のサービスサイトに含まれるＷｅｂページである。
【０１９１】
商品データテーブル画像Ｇ１２０には、さらに、枠ＳＬ１００が配置される。枠ＳＬ１００は、商品データテーブル画像Ｇ１２０に表示される複数の商品詳細情報のいずれかを選択するための枠である。枠ＳＬ１００は、初期状態では、商品データテーブル画像Ｇ１２０において、番号“１”の商品詳細情報を囲むように配置される。以下においては、枠ＳＬ１００に囲まれている商品詳細情報を、選択商品詳細情報ともいう。
【０１９２】
枠ＳＬ１００は、リモコンモードの通信端末装置５００における、方向ボタン５４１Ａおよび方向ボタン５４１Ｂの短押操作により、それぞれ、上および下に移動する。
【０１９３】
映像表示装置６００では、ステップＳ２４２のショッピングサイトアクセス処理Ｔにおいて、制御部６１０が、Ｗｅｂデータを受信する。制御部６１０は、Ｗｅｂデータを受信すると、受信したＷｅｂデータを記憶部６２０に記憶させる。ここで、受信したＷｅｂデータは、図１３（Ａ）の共通部データＤ２１０と、図１３（Ｂ）の商品データテーブルＤ２２０と、図１４のＷｅｂ画像Ｇ１００に表示される画像データとを含むデータである。すなわち、受信したＷｅｂデータは、図１４のＷｅｂ画像Ｇ１００を生成するためのデータでもある。
【０１９４】
そして、制御部６１０は、ＶＤＰ６３２を利用して、受信したＷｅｂデータに基づくＷｅｂ画像を生成し、生成したＷｅｂ画像を表示部６３０に表示させる。ここで、表示部６３０に表示されるＷｅｂ画像は、図１４のＷｅｂ画像Ｇ１００であるとする。そして、ステップＳ２４３に進む。
【０１９５】
ステップＳ２４３では、操作データ生成処理Ｔが行なわれる。操作データ生成処理Ｔでは、制御部６１０が、ＶＤＰ６３２を利用して、図１４の商品データテーブル画像Ｇ１２０において、枠ＳＬ１００に囲まれている選択商品詳細情報に対応する、図１３（Ｂ）の商品データテーブルＤ２２０における商品データと、図１２の表示能力データＤ１５０と、受信したＷｅｂデータに含まれる画像（バナー広告画像Ｇ１１０、商品画像ＩＭＧ１２１，・・・，ボタン画像等）のデータとに基づいて、商品データ画像を生成する。商品データ画像のデータは、ＨＴＭＬ形式のデータである。なお、商品データ画像のデータは、ＨＴＭＬ形式に限定されることなく、他の形式のデータであってもよい。
【０１９６】
生成された商品データ画像のデータは、商品データテーブル画像Ｇ１２０において、対応する選択商品詳細情報に示される商品を購入するための操作および処理等を行なうための画像データ（以下、操作データともいう）である。そして、ステップＳ２４３の処理は終了する。
【０１９７】
ここで、図１４の商品データテーブル画像Ｇ１２０において、枠ＳＬ１００に囲まれている選択商品詳細情報は、商品データテーブル画像Ｇ１２０に表示される、番号“１”の商品詳細情報であるとする。この場合、商品データテーブルＤ２２０において、対応する商品データは、番号“１”の商品データとなる。したがって、生成される商品データ画像は、以下の商品データ画像ＭＧ３００となる。商品データ画像ＭＧ３００のサイズは、図１２の表示能力データＤ１５０に示される「解像度」と同じサイズである。したがって商品データ画像ＭＧ３００のサイズは、横４８０（ドット）×縦６４０（ドット）である。
【０１９８】
図１５は、一例としての商品データ画像ＭＧ３００を示す図である。図１５を参照して、商品データ画像ＭＧ３００には、バナー広告画像ＭＧ３１０と、商品画像ＭＧ３２１と、ボタン画像ＭＢＧ３８０とが配置される。バナー広告画像ＭＧ３１０は、受信したＷｅｂデータに含まれるバナー広告画像Ｇ１１０のサイズ（横１０００（ドット）×縦１００（ドット））を、商品データ画像ＭＧ３００内に表示可能なように縮小された画像である。なお、バナー広告画像ＭＧ３１０は、バナー広告画像Ｇ１１０と同様に、図１３（Ａ）の共通部データＤ２１０の「ＡＤ  ＵＲＬ」の項目に示されるＵＲＬ“http://www.aa.com/nn/”が関連付けられる。バナー広告画像ＭＧ３１０は、クリックされることにより、関連づけられたＵＲＬにアクセスするための画像である。
【０１９９】
商品画像ＭＧ３２１は、受信したＷｅｂデータに含まれる商品画像ＩＭＧ１２１のサイズ（横１４０（ドット）×縦１４０（ドット））を、表示能力データＤ１５０に示される「サムネイルサイズ」に縮小された画像ある。すなわち、商品画像ＭＧ３２１のサイズは、横１００（ドット）×縦１００（ドット）である。
【０２００】
ボタン画像ＭＢＧ３８０は、図１３（Ｂ）の商品データテーブルＤ２２０の番号“１” の商品データに示される「リンク先」の項目に示されるＵＲＬ“http://www.abshop.com/conf/”が関連付けられる。ボタン画像ＭＢＧ３８０は、押下処理されることにより、商品データ画像ＭＧ３００の示す商品を購入するための処理を行なうためのボタン画像である。
【０２０１】
商品データ画像ＭＧ３００には、さらに、商品データテーブルＤ２２０の番号“１” の商品データが示す、「商品名」、「商品情報」、「価格」といった商品詳細情報が表示される。
【０２０２】
再び、図１１を参照して、ステップＳ２４３の処理の後、ステップＳ２４４に進む。
ステップＳ２４４では、制御部６１０が、生成された操作データを、通信端末装置５００へ送信する。ここで、送信される操作データは、図１５の商品データ画像ＭＧ３００を生成するためのＨＴＭＬデータであるとする。この場合、操作データには、商品データテーブルＤ２２０の番号“１” の商品データも含まれる。そして、ステップＳ２４４の処理は終了し、サイトアクセス処理における映像表示装置６００の処理は終了する。
【０２０３】
通信端末装置５００では、ステップＳ２１２の処理の後、ステップＳ２１４に進む。
ステップＳ２１４では、制御部５１０が、操作データを受信したか否かを判定する。ステップＳ２１４において、ＹＥＳならば、ステップＳ２１６に進む。一方、ステップＳ２１４において、ＮＯならば、再度、ステップＳ２１４の処理が行なわれる。ここでは、操作データを受信したとして、ステップＳ２１６に進む。受信した操作データは、図１５の商品データ画像ＭＧ３００を生成するためのＨＴＭＬデータであるとする。また、操作データには、商品データテーブルＤ２２０の番号“１” の商品データも含まれる。
【０２０４】
ステップＳ２１６では、操作データ表示処理Ｍが行なわれる。操作データ表示処理Ｍでは、制御部５１０が、受信した操作データを記憶部５２０に記憶させる。ここで、操作データには、商品データテーブルＤ２２０の番号“１” の商品データも含まれるので、記憶部５２０には、商品データテーブルＤ２２０の番号“１” の商品データも記憶されることになる。
【０２０５】
そして、制御部５１０は、ＶＤＰ５３２を利用して、操作データに基づく画像を生成し、生成した画像を、表示部５３０に表示させる。ここで、表示部５３０に表示される画像は、図１５の商品データ画像ＭＧ３００であるとする。そして、ステップＳ２１６の処理は終了し、サイトアクセス処理における通信端末装置５００の処理は終了する。
【０２０６】
（商品詳細情報を選択する処理）
次に、図１４の商品データテーブル画像Ｇ１２０に表示される複数の商品詳細情報のうち、他の商品詳細情報を選択するための操作が通信端末装置５００で行なわれた場合の処理について説明する。ここで、映像表示装置６００の表示部６３０には、図１４のＷｅｂ画像Ｇ１００が表示されているとする。通信端末装置５００の表示部５３０には、図１５の商品データ画像ＭＧ３００が表示されているとする。
【０２０７】
再び、図１０を参照して、通信端末装置５００が行なう操作判定処理Ｍにおいて、ステップＳ１０では、前述したのと同様な処理が行なわれるので詳細な説明は繰り返さない。ここでは、方向ボタン５４１Ｂを押下する制御操作があったとして、ステップＳ１２に進む。
【０２０８】
ステップＳ１２では、制御部５１０が、方向ボタン５４１Ｂを特定するための情報を含んだ制御信号としてのリモコン信号を、映像表示装置６００へ送信する。
【０２０９】
映像表示装置６００が行なう制御信号対応処理Ｔにおいて、ステップＳ２０では、前述したのと同様な処理が行なわれるので詳細な説明は繰り返さない。ここでは、方向ボタン５４１Ｂを特定するための情報を含んだ制御信号としてのリモコン信号を受信したとして、ステップＳ２２に進む。
【０２１０】
ステップＳ２２では、制御信号対応処理が行なわれる。ここでは、制御信号対応処理において、制御部６１０が、ＶＤＰ６３２を利用して、図１４の商品データテーブル画像Ｇ１２０に表示される枠ＳＬ１００を、商品データテーブル画像Ｇ１２０において、番号“２”の商品詳細情報を囲むように、下に移動させたＷｅｂ画像を生成し、表示部６３０に生成したＷｅｂ画像を表示する。
【０２１１】
そして、制御部６１０は、前述した図１１のステップＳ２４３の操作データ生成処理Ｔを行なう。操作データ生成処理Ｔは、前述したのと同様なので詳細な説明は繰り返さない。この処理により、図１４の商品データテーブル画像Ｇ１２０において、移動後の枠ＳＬ１００に囲まれている番号“２”の商品詳細情報に対応する、図１３（Ｂ）の商品データテーブルＤ２２０の番号“２”の商品データと、図１２の表示能力データＤ１５０と、受信したＷｅｂデータに含まれる画像（バナー広告画像Ｇ１１０、商品画像ＩＭＧ１２１，・・・，ボタン画像等）のデータとに基づいて、商品データ画像を生成する。
【０２１２】
そして、制御部６１０は、生成した商品データ画像のデータである操作データを、図１１のステップＳ２４４と同様に、通信端末装置５００へ送信する。
【０２１３】
通信端末装置５００では、前述したのと同様に、ステップＳ２１４，Ｓ２１６の処理が行なわれることで、図１４の商品データテーブル画像Ｇ１２０において、移動後の枠ＳＬ１００に囲まれている番号“２”の商品詳細情報に対応する商品データ画像が表示部５３０に表示される。また、記憶部５２０には、商品データテーブルＤ２２０の番号“２” の商品データも記憶されることになる。
【０２１４】
以上のように、図１４の商品データテーブル画像Ｇ１２０において、枠ＳＬ１００を移動させるための操作が通信端末装置５００で行なわれる毎に、映像表示装置６００において、移動後の枠ＳＬ１００により選択されている商品詳細情報の商品データ画像のデータが生成され、生成された商品データ画像が、通信端末装置５００へ送信される。そして、通信端末装置５００では、受信したデータに基づいて、表示部５３０に、商品データ画像が表示される。
【０２１５】
したがって、ユーザが操作している手元の通信端末装置５００において、映像表示装置６００に表示されている、複数の商品詳細情報のうち、所望の商品詳細情報を、容易に参照することができるという効果を奏する。
【０２１６】
（商品の決済を行なうための処理）
次に、通信端末装置５００の表示部５３０に表示されている商品データ画像が示す商品の決済を行なうための処理（以下、決済処理Ｍともいう）について説明する。
【０２１７】
ここで、映像表示装置６００の表示部６３０には、図１１のステップＳ２４２の処理により、図１４のＷｅｂ画像Ｇ１００が表示されているとする。通信端末装置５００の表示部５３０には、図１１のステップＳ２１６の処理により、図１５の商品データ画像ＭＧ３００が表示されているとする。また、記憶部５２０には、図１３（Ａ）の商品データテーブルＤ２２０の番号“１” の商品データも記憶されているとする。
【０２１８】
図１６は、決済処理Ｍおよびサービスサーバ８００Ａで行なわれる処理のフローチャートである。図１６を参照して、ステップＳ３１１では、制御部５１０が、購入許可操作があったか否かを判定する。購入許可操作は、商品データ画像ＭＧ３００に配置されるボタン画像ＭＢＧ３８０を押下処理するためのインターフェース操作Ｍである。ステップＳ３１１において、ＹＥＳならば、ステップＳ３１２に進む。一方、ステップＳ３１２において、ＮＯならば、再度、ステップＳ３１１の処理が行なわれる。ここでは、購入許可操作があったとして、ステップＳ３１２に進む。
【０２１９】
ステップＳ３１２では、制御部５１０が、購入商品データを、ボタン画像ＭＢＧ３８０に関連付けられているＵＲＬ“http://www.abshop.com/conf/”のＷｅｂページを含むサービスサイトへ送信する。前述したように、ＵＲＬが“http://www.abshop.com/conf/”のＷｅｂページは、サイト名が「ＡＢショップ」のサービスサイトに含まれるＷｅｂページである。サイト名が「ＡＢショップ」のサービスサイトは、サービスサーバ８００Ａが提供するＷｅｂサイトである。したがって、購入商品データは、サービスサーバ８００Ａへ送信される。送信される購入商品データは、以下の購入商品データＤ３００である。
【０２２０】
図１７は、一例としての購入商品データＤ３００を示す図である。図１７を参照して、購入商品データＤ３００において、「ユーザ識別情報」とは、前述したように、登録したサービスサイトから受信したユーザ識別情報（たとえば、クッキー）である。購入商品データＤ３００に示されるユーザ識別情報“ａｂｋｋ”は、サイト名が「ＡＢショップ」のサービスサイトに対応するユーザ識別情報である（図９参照）。
【０２２１】
「商品ＩＤ」とは、商品を特定するためのＩＤである。購入商品データＤ３００に示される商品ＩＤは、図１３（Ａ）の商品データテーブルＤ２２０の番号“１” の商品データに示される商品ＩＤ“ＣＤ００１”である。「ＵＲＬ」とは、商品決済を行なうためのＷｅｂページのＵＲＬである。購入商品データＤ３００に示されるＵＲＬは、商品データテーブルＤ２２０の番号“１” の商品データに示されるＵＲＬ“http://www.abshop.com/conf/”である。
【０２２２】
再び、図１６を参照して、サービスサーバ８００Ａでは、ステップＳ３８１の処理が行なわれる。
【０２２３】
ステップＳ３８１では、制御部８１０が、購入商品データを受信したか否かを判定する。ステップＳ３８１において、ＹＥＳならば、ステップＳ３８２に進む。一方、ステップＳ３８１において、ＮＯならば、再度、ステップＳ３８１の処理が行なわれる。ここでは、図１７の購入商品データＤ３００を受信したとして、ステップＳ３８２に進む。
【０２２４】
ステップＳ３８２では、制御部８１０が、購入商品データに含まれるユーザ識別情報が、購入商品データに含まれるＵＲＬのＷｅｂページを含むサービスサイトに対応し、かつ、購入商品データに含まれるユーザ識別情報が、前述の図８のステップＳ１２２の処理により自装置が発行したユーザ識別情報であるか否かを判定する。ステップＳ３８２において、ＹＥＳならば、認証成功として、ステップＳ３８４に進む。一方、ステップＳ３８２において、ＮＯならば、再度、ステップＳ３８１の処理が行なわれる。
【０２２５】
ここで、購入商品データは、購入商品データＤ３００である。したがって、購入商品データＤ３００に含まれるユーザ識別情報は、“ａｂｋｋ”である。ユーザ識別情報“ａｂｋｋ”は、サイト名が「ＡＢショップ」のサービスサイトに対応するユーザ識別情報である（図９参照）。購入商品データＤ３００に含まれるＵＲＬ“http://www.abshop.com/conf/”のＷｅｂページは、サイト名が「ＡＢショップ」のサービスサイトに含まれる。したがって、購入商品データＤ３００に含まれるユーザ識別情報“ａｂｋｋ”は、購入商品データＤ３００に含まれるＵＲＬ“http://www.abshop.com/conf/”のＷｅｂページを含むサービスサイトに対応する。
【０２２６】
また、購入商品データＤ３００に含まれるユーザ識別情報“ａｂｋｋ”は、自装置が発行したユーザ識別情報である。したがって、認証成功と判定されて、ステップＳ３８４に進む。
【０２２７】
ステップＳ３８４では、制御部８１０が、確認データを、通信端末装置５００へ送信する。ここで、送信される確認データは、以下の確認画像ＭＧ４００を生成するためのＨＴＭＬ形式のデータであるとする。そして、ステップＳ３８４の処理は終了する。
【０２２８】
図１８は、一例としての確認画像ＭＧ４００を示す図である。図１８を参照して、確認画像ＭＧ４００には、購入する商品の情報（商品ＩＤ，商品名、価格等）が表示される。また、確認画像ＭＧ４００には、ボタン画像ＭＢＧ４８０が配置される。ボタン画像ＭＢＧ４８０は、押下処理されることで、購入指示を送信するためのボタン画像である。
【０２２９】
通信端末装置５００では、ステップＳ３１２の処理の後、ステップＳ３１４に進む。
ステップＳ３１４では、確認データ受信処理Ｍが行なわれる。確認データ受信処理Ｍでは、制御部５１０が、確認データを受信し、ＶＤＰ５３２を利用して、受信した確認データに基づく確認画像ＭＧ４００を、表示部５３０に表示させる。そして、ステップＳ３１５に進む。
【０２３０】
ステップＳ３１５では、制御部５１０が、承諾操作があるか否かを判定する。承諾操作は、確認画像ＭＧ４００に配置されるボタン画像ＭＢＧ４８０を押下するためのインターフェース操作Ｍである。ステップＳ３１５において、ＹＥＳならば、ステップＳ３１６に進む。一方、ステップＳ３１５において、ＮＯならば、再度、ステップＳ３１５の処理が行なわれる。ここでは、承諾操作があったとして、ステップＳ３１６に進む。
【０２３１】
ステップＳ３１６では、制御部５１０が、購入指示を、サービスサーバ８００Ａへ送信する。送信される購入指示には、商品ＩＤが含まれる。購入指示は、当該購入指示に含まれる商品ＩＤにより特定される商品を購入するための指示である。ここで、購入指示に含まれる商品ＩＤは、“ＣＤ００１”であるとする。そして、ステップＳ３１６の処理は終了する。
【０２３２】
サービスサーバ８００Ａでは、ステップＳ３８４の処理の後、ステップＳ３８５に進む。
【０２３３】
ステップＳ３８５では、制御部８１０が、購入指示を受信したか否かを判定する。ステップＳ３８５において、ＹＥＳならば、ステップＳ３８６に進む。一方、ステップＳ３８５において、ＮＯならば、再度、ステップＳ３８５の処理が行なわれる。ここでは、購入指示を受信したとして、ステップＳ３８６に進む。
【０２３４】
ステップＳ３８６では、制御部８１０が、確認データＡを送信する。ここで、送信される確認データＡは、以下の確認画像ＭＧ５００を生成するためのＨＴＭＬ形式のデータであるとする。
【０２３５】
図１９は、一例としての確認画像ＭＧ５００を示す図である。図１９を参照して、確認画像ＭＧ５００には、商品の支払い方法、商品の送付先を確認するための情報が表示される。また、確認画像ＭＧ５００には、ボタン画像ＭＢＧ５８０が配置される。ボタン画像ＭＢＧ５８０は、押下処理されることで、決済指示を送信するためのボタン画像である。
【０２３６】
通信端末装置５００では、ステップＳ３１６の処理の後、ステップＳ３１７に進む。
ステップＳ３１７では、確認データＡ受信処理Ｍが行なわれる。確認データＡ受信処理Ｍでは、制御部５１０が、確認データＡを受信し、ＶＤＰ５３２を利用して、受信した確認データＡに基づく確認画像ＭＧ５００を、表示部５３０に表示させる。そして、ステップＳ３１８に進む。
【０２３７】
ステップＳ３１８では、制御部５１０が、決済操作があるか否かを判定する。決済操作は、確認画像ＭＧ５００に配置されるボタン画像ＭＢＧ５８０を押下するためのインターフェース操作Ｍである。ステップＳ３１８において、ＹＥＳならば、ステップＳ３１９に進む。一方、ステップＳ３１８において、ＮＯならば、再度、ステップＳ３１８の処理が行なわれる。ここでは、決済操作があったとして、ステップＳ３１９に進む。
【０２３８】
ステップＳ３１９では、制御部５１０が、決済指示を、サービスサーバ８００Ａへ送信する。送信される決済指示には、商品ＩＤが含まれる。決済指示は、当該決済指示に含まれる商品ＩＤにより特定される商品の決済を行なうための指示である。ここで、決済指示に含まれる商品ＩＤは、“ＣＤ００１”であるとする。そして、ステップＳ３１９の処理は終了する。
【０２３９】
サービスサーバ８００Ａでは、ステップＳ３８６の処理の後、ステップＳ３８７に進む。
【０２４０】
ステップＳ３８７では、制御部８１０が、決済指示を受信したか否かを判定する。ステップＳ３８７において、ＹＥＳならば、ステップＳ３８８に進む。一方、ステップＳ３８７において、ＮＯならば、再度、ステップＳ３８７の処理が行なわれる。ここでは、決済指示を受信したとして、ステップＳ３８８に進む。
【０２４１】
ステップＳ３８８では、制御部８１０が、決済完了報知データを送信する。ここで、送信される決済完了報知データは、以下の決済完了報知画像ＭＧ６００を生成するためのＨＴＭＬ形式のデータであるとする。そして、サービスサーバ８００Ａにおける処理は終了する。
【０２４２】
図２０は、一例としての決済完了報知画像ＭＧ６００を示す図である。図２０を参照して、決済完了報知画像ＭＧ６００には、商品の決済が完了した旨を示すメッセージが表示される。
【０２４３】
通信端末装置５００では、ステップＳ３１９の処理の後、ステップＳ３２０に進む。
ステップＳ３２０では、決済完了報知データ受信処理Ｍが行なわれる。決済完了報知データ受信処理Ｍでは、制御部５１０が、決済完了報知データを受信し、ＶＤＰ５３２を利用して、受信した決済完了報知データに基づく決済完了報知画像ＭＧ６００を、表示部５３０に表示させる。そして、この決済処理Ｍは終了する。
【０２４４】
以上説明したように、本実施の形態では、図１４の商品データテーブル画像Ｇ１２０において、枠ＳＬ１００を移動させるための操作が通信端末装置５００で行なわれる毎に、映像表示装置６００において、移動後の枠ＳＬ１００により選択されている商品詳細情報の商品データ画像のデータが生成され、生成された商品データ画像が、通信端末装置５００へ送信される。そして、通信端末装置５００では、受信したデータに基づいて、表示部５３０に、商品データ画像が表示される。
【０２４５】
したがって、ユーザが操作している手元の通信端末装置５００において、映像表示装置６００に表示されている、複数の商品詳細情報のうち、所望の商品詳細情報を、容易に参照することができるという効果を奏する。
【０２４６】
また、ユーザが操作している手元の通信端末装置５００において、サービスサーバ８００Ａにおいて予め取得しておいたユーザ識別情報（たとえば、クッキー）等を利用して、サービスサーバ８００Ａとクレジット番号の情報のやり取りを行なうことなく、所望の商品詳細情報の決済を行なうので、安全に商品の決済を行なうことができるという効果を奏する。
【０２４７】
また、映像表示装置６００でコンテンツとしての複数の商品詳細情報（図１４の商品データテーブル画像Ｇ１２０）を表示させた状態で、別の装置である通信端末装置５００で、操作画像に対する指示入力（操作）を行なうことにより、サービスサーバ８００Ａから、商品の決済といったサービスを享受することができる。その結果、コンテンツの見易さを損ねることなく、容易にサービスを享受できるという効果を奏する。
【０２４８】
本実施の形態では、図１１のステップＳ２８０，Ｓ２８２の処理（Ｗｅｂデータを送信する処理）と、図１６のステップＳ３８１〜Ｓ３８８の処理（決済を行なう処理）とは、同一のサービスサーバ８００Ａで行なわれる説明をした。しかしながら、ステップＳ２８０，Ｓ２８２の処理（Ｗｅｂデータを送信する処理）と、ステップＳ３８１〜Ｓ３８８の処理（決済を行なう処理）とは、異なる複数のサービスサーバ８００Ａの各々で行なわれてもよい。
【０２４９】
＜第２の実施の形態＞
本実施の形態では、通信端末装置５００がショッピングサイトへアクセスする場合の処理であって、第１の実施の形態とは異なる処理（以下、サイトアクセス処理Ａともいう）について説明する。なお、通信端末装置５００は、リモコンモードであり、表示部５３０には、図６のリモコン画像ＭＧ１００が表示されているとする。
【０２５０】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２５１】
本実施の形態においても、図１０の操作判定処理Ｍおよび制御信号対応処理Ｔが、それぞれ、通信端末装置５００および制御信号対応処理Ｔで行なわれる。
【０２５２】
（ショッピングサイトへのアクセス）
図２１は、サイトアクセス処理Ａのフローチャートである。図２１では、通信端末装置５００、映像表示装置６００およびサービスサーバ８００Ａの各々において行なわれる処理を示す。図２１を参照して、サイトアクセス処理Ａは、図１１のサイトアクセス処理と比較して、ステップＳ２１６の代わりにステップＳ２１６Ａが行なわれる点と、ステップＳ２４２の代わりにステップＳ２４２Ａが行なわれる点と、ステップＳ２４３が行なわれない点と、ステップＳ２４４の代わりにステップＳ２４４Ａが行なわれる点と、ステップＳ２８０の代わりにステップＳ２８０Ａが行なわれる点と、ステップＳ２８１Ａがさらに行なわれる点と、ステップＳ２８２の代わりにステップＳ２８２Ａが行なわれる点とが異なる。それ以外は、サイトアクセス処理と同様なので詳細な説明は繰り返さない。以下、第１の実施の形態のサイトアクセス処理と異なる処理を、主に説明する。
【０２５３】
ステップＳ２１０では、前述したのと同様な処理が行なわれるので詳細な説明は繰り返さない。ここでは、ショッピングサイトアクセス操作があったとする。この場合、ステップＳ２１０において、ＹＥＳと判定されて、ステップＳ２１２に進む。
【０２５４】
ステップＳ２１２では、前述したのと同様な処理が行なわれるので詳細な説明は繰り返さない。この処理により、リモコン信号としてのショッピングサイトアクセス指示が、映像表示装置６００へ送信される。送信されるショッピングサイトアクセス指示には、図９のユーザ識別情報登録テーブルＤ１００に示される、サイト名「ＡＢショップ」のＵＲＬ（http://www.abshop.com/）と、対応するユーザ識別情報（ａｂｋｋ）と、図１２の表示能力データＤ１５０とが含まれる。そして、ステップＳ２１２の処理は終了する。
【０２５５】
映像表示装置６００では、ステップＳ２４０において、前述したのと同様な処理が行なわれるので詳細な説明は繰り返さない。ここでは、リモコン信号としてのショッピングサイトアクセス指示を受信したとする。この場合、ステップＳ２４０において、ＹＥＳと判定されて、ステップＳ２４２Ａに進む。
【０２５６】
ステップＳ２４２Ａでは、ショッピングサイトアクセス処理ＴＡが行なわれる。ショッピングサイトアクセス処理ＴＡでは、まず、制御部６１０が、受信したショッピングサイトアクセス指示に含まれる表示能力データＤ１５０を、記憶部６２０に記憶させる。
【０２５７】
そして、制御部６１０は、サイトアクセス指示ＴＡを、受信したショッピングサイトアクセス指示に含まれるＵＲＬのサービスサイトへ送信する。ここで、受信したショッピングサイトアクセス指示に含まれるＵＲＬのサービスサイトは、サイト名が「ＡＢショップ」のサービスサイトである。サイト名が「ＡＢショップ」のサービスサイトは、サービスサーバ８００Ａが提供するＷｅｂサイトであるとする。この場合、サイトアクセス指示ＴＡは、サービスサーバ８００Ａへ送信される。送信されるサイトアクセス指示ＴＡには、サービスサイトのＵＲＬ（http://www.abshop.com/）と、表示能力データＤ１５０と、自装置のネットワークアドレスとが含まれる。
【０２５８】
ここで、サイトアクセス指示ＴＡに含まれる自装置のネットワークアドレスは、たとえば、映像表示装置６００のＩＰアドレスである。映像表示装置６００のＩＰアドレスは、たとえば、“１１１．２２２．３３３．４４４”であるとする。したがって、サイトアクセス指示ＴＡに含まれる自装置のネットワークアドレスは、“１１１．２２２．３３３．４４４”である。
【０２５９】
サービスサーバ８００Ａでは、まず、ステップＳ２８０Ａの処理が行なわれる。
ステップＳ２８０Ａでは、制御部８１０が、サイトアクセス指示ＴＡを受信したか否かを判定する。ステップＳ２８０Ａにおいて、ＹＥＳならば、ステップＳ２８１Ａに進む。一方、ステップＳ２８０Ａにおいて、ＮＯならば、再度、ステップＳ２８０Ａの処理が行なわれる。
【０２６０】
ステップＳ２８１Ａでは、操作データ生成処理Ｓが行なわれる。操作データ生成処理Ｓでは、制御部８１０が、サイトアクセス指示ＴＡによりアクセスが要求されているサービスサイト（以下、アクセス要求サイトともいう）のＷｅｂデータを、記憶部８２０から読み出す。
【０２６１】
ここで、読み出されたＷｅｂデータは、ＨＴＭＬ（HyperText Markup Language）形式のデータである。なお、Ｗｅｂデータは、ＨＴＭＬ形式のデータに限定されることなく、他の形式のデータであってもよい。ここで、アクセス要求サイトは、サイト名が「ＡＢショップ」のサービスサイトであるとする。この場合、アクセス要求サイトのＷｅｂデータは、図１３（Ａ）の共通部データＤ２１０と、図１３（Ｂ）の商品データテーブルＤ２２０と、画像データとが含まれる。
【０２６２】
サイト名が「ＡＢショップ」のサービスサイトのＷｅｂデータに基づいて生成されるＷｅｂ画像は、図１４のＷｅｂ画像Ｇ１００となる。
【０２６３】
そして、制御部８１０は、図１３（Ｂ）の商品データテーブルＤ２２０の番号“１”の商品データと、図１２の表示能力データＤ１５０と、読み出されたＷｅｂデータに含まれる画像（バナー広告画像Ｇ１１０、商品画像ＩＭＧ１２１，・・・，ボタン画像等）のデータとに基づいて、商品データ画像を生成する。商品データ画像の生成の方法は、図１１のステップＳ２４３の操作データ生成処理Ｔで説明したのと同様であるので詳細な説明は繰り返さない。商品データ画像のデータは、ＨＴＭＬ形式のデータである。なお、商品データ画像のデータは、ＨＴＭＬ形式に限定されることなく、他の形式のデータであってもよい。
【０２６４】
この場合、生成される商品データ画像は、図１５の商品データ画像ＭＧ３００となる。生成された商品データ画像のデータは、商品データテーブルＤ２２０の番号“１”の商品データに示される商品を購入するための操作および処理等を行なうための画像データ（以下、操作データともいう）である。なお、以下においては、商品データテーブルＤ２２０の番号“ｎ（自然数）”の商品データを利用して生成された操作データを、番号“ｎ”操作データともいう。したがって、商品データテーブルＤ２２０の番号“１”の商品データを利用して生成された操作データは、番号“１”操作データとなる。
【０２６５】
制御部８１０は、図１３（Ｂ）の商品データテーブルＤ２２０の番号“２”，“３”・・・，の各々の商品データに対しても、商品データテーブルＤ２２０の番号“１”の商品データを利用して、番号“１”操作データを生成したのと同様に、操作データを生成する。したがって、図１３（Ｂ）の商品データテーブルＤ２２０の番号“１”，“２”，・・・，の各々の商品データを利用して、番号“１”操作データ、番号“２”操作データ、番号“３”操作データ、・・・、が生成される。そして、ステップＳ２８１Ａの処理は終了し、ステップＳ２８２Ａに進む。
【０２６６】
ステップＳ２８２Ａでは、アクセス要求サイトのＷｅｂデータと、生成された複数の操作データ（番号“１”操作データ、番号“２”操作データ、番号“３”操作データ、・・・、）とを、ネットワークアドレスが“１１１．２２２．３３３．４４４”の映像表示装置６００へ送信する。そして、ステップＳ２８２Ａの処理は終了し、再度、ステップＳ２８０Ａの処理が行なわれる。
【０２６７】
ここで、送信されるアクセス要求サイトのＷｅｂデータは、サイト名が「ＡＢショップ」のサービスサイトのＷｅｂデータである。この場合、Ｗｅｂデータは、図１３（Ａ）の共通部データＤ２１０と、図１３（Ｂ）の商品データテーブルＤ２２０と、画像データとが含まれる。すなわち、サイト名が「ＡＢショップ」のサービスサイトのＷｅｂデータに基づいて生成されるＷｅｂ画像は、図１４のＷｅｂ画像Ｇ１００となる。
【０２６８】
映像表示装置６００では、ステップＳ２４２Ａのショッピングサイトアクセス処理ＴＡにおいて、制御部６１０が、Ｗｅｂデータと、複数の操作データ（番号“１”操作データ、番号“２”操作データ、番号“３”操作データ、・・・、）とを受信する。制御部６１０は、Ｗｅｂデータと、複数の操作データとを受信すると、受信したＷｅｂデータと、複数の操作データとを記憶部６２０に記憶させる。ここで、受信したＷｅｂデータは、図１３（Ａ）の共通部データＤ２１０と、図１３（Ｂ）の商品データテーブルＤ２２０と、図１４のＷｅｂ画像Ｇ１００に表示される画像データを含むデータである。すなわち、受信したＷｅｂデータは、図１４のＷｅｂ画像Ｇ１００を生成するためのデータでもある。
【０２６９】
そして、制御部６１０は、ＶＤＰ６３２を利用して、受信したＷｅｂデータに基づくＷｅｂ画像を生成し、生成したＷｅｂ画像を表示部６３０に表示させる。ここで、表示部６３０に表示されるＷｅｂ画像は、図１４のＷｅｂ画像Ｇ１００であるとする。そして、ステップＳ２４４Ａに進む。
【０２７０】
ステップＳ２４４Ａでは、制御部６１０が、受信した複数の操作データのうち、図１４のＷｅｂ画像Ｇ１００において、枠ＳＬ１００により選択されている選択商品詳細情報に対応する操作データを、通信端末装置５００へ送信する。ここで、送信される操作データは、受信した番号“１”操作データである。番号“１”操作データは、図１５の商品データ画像ＭＧ３００を生成するためのＨＴＭＬデータであるとする。この場合、送信される番号“１”操作データには、商品データテーブルＤ２２０の番号“１” の商品データが付随される。そして、ステップＳ２４４Ａの処理は終了し、サイトアクセス処理Ａにおける映像表示装置６００の処理は終了する。
【０２７１】
通信端末装置５００では、ステップＳ２１２の処理の後、ステップＳ２１４に進む。
ステップＳ２１４では、前述したのと同様な処理が行なわれるので詳細な説明は繰り返さない。ここでは、番号“１”操作データを受信したとする。この場合、ステップＳ２１４において、ＹＥＳと判定されて、ステップＳ２１６Ａに進む。
【０２７２】
ステップＳ２１６Ａでは、操作データ表示処理ＭＡが行なわれる。操作データ表示処理ＭＡでは、制御部５１０が、受信した操作データ（番号“１”操作データ）を記憶部５２０に記憶させる。ここで、操作データ（番号“１”操作データ）には、商品データテーブルＤ２２０の番号“１” の商品データが付随されるので、記憶部５２０には、商品データテーブルＤ２２０の番号“１” の商品データも記憶されることになる。
【０２７３】
そして、制御部５１０は、ＶＤＰ５３２を利用して、操作データ（番号“１”操作データ）に基づく画像を生成し、生成した画像を、表示部５３０に表示させる。ここで、表示部５３０に表示される画像は、図１５の商品データ画像ＭＧ３００であるとする。そして、ステップＳ２１６Ａの処理は終了し、サイトアクセス処理Ａにおける通信端末装置５００の処理は終了する。
【０２７４】
（商品詳細情報を選択する処理）
次に、図１４の商品データテーブル画像Ｇ１２０に表示される複数の商品詳細情報のうち、他の商品詳細情報を選択するための操作が通信端末装置５００で行なわれた場合の処理について説明する。ここで、映像表示装置６００の表示部６３０には、図１４のＷｅｂ画像Ｇ１００が表示されているとする。通信端末装置５００の表示部５３０には、図１５の商品データ画像ＭＧ３００が表示されているとする。
【０２７５】
再び、図１０を参照して、通信端末装置５００が行なう操作判定処理Ｍにおいて、ステップＳ１０では、前述したのと同様な処理が行なわれるので詳細な説明は繰り返さない。ここでは、方向ボタン５４１Ｂを押下する制御操作があったとして、ステップＳ１２に進む。
【０２７６】
ステップＳ１２では、制御部５１０が、方向ボタン５４１Ｂを特定するための情報を含んだ制御信号としてのリモコン信号を、映像表示装置６００へ送信する。
【０２７７】
映像表示装置６００が行なう制御信号対応処理Ｔにおいて、ステップＳ２０では、前述したのと同様な処理が行なわれるので詳細な説明は繰り返さない。ここでは、方向ボタン５４１Ｂを特定するための情報を含んだ制御信号としてのリモコン信号を受信したとして、ステップＳ２２に進む。
【０２７８】
ステップＳ２２では、制御信号対応処理が行なわれる。ここでは、制御信号対応処理において、制御部６１０が、ＶＤＰ６３２を利用して、図１４の商品データテーブル画像Ｇ１２０に表示される枠ＳＬ１００を、商品データテーブル画像Ｇ１２０において、番号“２”の商品詳細情報を囲むように、下に移動させたＷｅｂ画像を生成し、表示部６３０に生成したＷｅｂ画像を表示する。
【０２７９】
そして、制御部６１０は、図２１のステップＳ２４４Ａで説明したのと同様に、枠ＳＬ１００により選択されている選択商品詳細情報に対応する操作データを、通信端末装置５００へ送信する。ここで、送信される操作データは、番号“２”操作データである。この場合、番号“２”操作データには、商品データテーブルＤ２２０の番号“２” の商品データが付随される。
【０２８０】
通信端末装置５００では、前述したのと同様に、ステップＳ２１４，Ｓ２１６Ａの処理が行なわれることで、図１４の商品データテーブル画像Ｇ１２０において、移動後の枠ＳＬ１００に囲まれている番号“２”の商品詳細情報に対応する商品データ画像が表示部５３０に表示される。また、記憶部５２０には、商品データテーブルＤ２２０の番号“２” の商品データも記憶されることになる。
【０２８１】
以上のように、図１４の商品データテーブル画像Ｇ１２０において、枠ＳＬ１００を移動させるための操作が通信端末装置５００で行なわれる毎に、映像表示装置６００において、移動後の枠ＳＬ１００により選択されている商品詳細情報に対応する操作データが、通信端末装置５００へ送信される。
【０２８２】
なお、商品データテーブル画像Ｇ１２０に表示される複数の商品詳細情報にそれぞれ対応する複数の操作データは、サービスサーバ８００Ａにおいて予め生成されたデータである。そして、通信端末装置５００では、受信したデータに基づいて、表示部５３０に、商品データ画像が表示される。
【０２８３】
したがって、ユーザが操作している手元の通信端末装置５００において、映像表示装置６００に表示されている、複数の商品詳細情報のうち、所望の商品詳細情報を、容易に参照することができるという効果を奏する。
【０２８４】
本実施の形態における商品の決済を行なうための処理は、第１の実施の形態の図１６で説明したのと同様なので詳細な説明は繰り返さない。
【０２８５】
以上説明したように、本実施の形態では、図１４の商品データテーブル画像Ｇ１２０において、枠ＳＬ１００を移動させるための操作が通信端末装置５００で行なわれる毎に、映像表示装置６００において、移動後の枠ＳＬ１００により選択されている商品詳細情報に対応する操作データが、通信端末装置５００へ送信される。
【０２８６】
なお、商品データテーブル画像Ｇ１２０に表示される複数の商品詳細情報にそれぞれ対応する複数の操作データは、サービスサーバ８００Ａにおいて予め生成されたデータである。そして、通信端末装置５００では、受信したデータに基づいて、表示部５３０に、商品データ画像が表示される。
【０２８７】
したがって、ユーザが操作している手元の通信端末装置５００において、映像表示装置６００に表示されている、複数の商品詳細情報のうち、所望の商品詳細情報を、容易に参照することができるという効果を奏する。
【０２８８】
また、本実施の形態において、商品の決済を行なうための処理は、第１の実施の形態と同様な処理が行なわれるので、本実施の形態においても、第１の実施の形態で得られる効果を奏する。すなわち、サービスサーバ８００Ａとクレジット番号の情報のやり取りを行なうことなく、所望の商品詳細情報の決済を行なうので、安全に商品の決済を行なうことができるという効果を奏する。
【０２８９】
また、映像表示装置６００でコンテンツとしての複数の商品詳細情報（図１４の商品データテーブル画像Ｇ１２０）を表示させた状態で、別の装置である通信端末装置５００で、操作画像に対する指示入力（操作）を行なうことにより、サービスサーバ８００Ａから、商品の決済といったサービスを享受することができる。その結果、コンテンツの見易さを損ねることなく、容易にサービスを享受できるという効果を奏する。
【０２９０】
本実施の形態では、図２１のステップＳ２８０Ａ，Ｓ２８１Ａ，Ｓ２８２Ａの処理と、図１６のステップＳ３８１〜Ｓ３８８の処理（決済を行なう処理）とは、同一のサービスサーバ８００Ａで行なわれる説明をした。しかしながら、ステップＳ２８０Ａ，Ｓ２８１Ａ，Ｓ２８２Ａと、ステップＳ３８１〜Ｓ３８８の処理（決済を行なう処理）とは、異なる複数のサービスサーバ８００Ａの各々で行なわれてもよい。
【０２９１】
（機能ブロック図）
次に、本発明における、制御部５１０および制御部６１０の機能ブロック図について説明する。
【０２９２】
図２２は、本発明の第１の実施の形態における制御部５１０および制御部６１０の機能ブロック図である。図２２を参照して、制御部５１０は、第１取得部５１２と、生成部５１４と、送信部５１６とを含む。制御部６１０は、受信部６１２と、通信部６１４とを含む。
【０２９３】
次に、本発明の第１の実施の形態における各部の動作を説明する。第１取得部５１２は、ネットワーク７０（インターネット）からコンテンツを取得する。映像表示装置６００の表示部６３０は、第１取得部５１２により取得されたコンテンツを表示する。生成部５１４は、映像表示装置６００の表示部６３０により表示されているコンテンツである表示コンテンツに基づいて、表示コンテンツの少なくとも一部に関連する操作を通信端末装置５００で行なうための操作データを生成する。送信部５１６は、生成部５１４により生成された操作データを、通信端末装置５００へ送信する。
【０２９４】
受信部６１２は、送信部５１６により送信された操作データを受信する。通信端末装置５００の表示部５３０は、受信した操作データに基づく画像であって、表示コンテンツの少なくとも一部に関連する操作を行なうための操作画像（たとえば、図１５の商品データ画像ＭＧ３００）を表示する。通信部６１４は、通信端末装置５００の表示部５３０により表示されている操作画像に対する指示入力に基づいて、ネットワーク７０（インターネット）に接続されているサービスサーバ８００Ａからサービスを享受するためのデータ通信を、サービスサーバ８００Ａと行なう。
【０２９５】
なお、制御部５１０に含まれる、第１取得部５１２、生成部５１４および送信部５１６の全てまたは一部は、ハードウエアで構成されてもよい。また、制御部６１０に含まれる、受信部６１２および通信部６１４の全てまたは一部は、ハードウエアで構成されてもよい。
【０２９６】
図２３は、本発明の第２の実施の形態における制御部５１０および制御部６１０の機能ブロック図である。図２３を参照して、第２の実施の形態における制御部５１０は、図２２の制御部５１０と比較して、生成部５１４を含まない点が異なる。それ以外は、図２２の制御部５１０と同様な構成なので詳細な説明は繰り返さない。また、第２の実施の形態における制御部６１０は、図２２の制御部６１０と同様な構成なので詳細な説明は繰り返さない。
【０２９７】
次に、本発明の第２の実施の形態における各部の動作を説明する。第１取得部５１２は、ネットワーク７０（インターネット）から、コンテンツと、該コンテンツの少なくとも一部に関連する操作を通信端末装置５００で行なうための操作データとを取得する。映像表示装置６００の表示部６３０は、第１取得部５１２により取得されたコンテンツを表示する。送信部５１６は、第１取得部５１２により取得された操作データを、通信端末装置５００へ送信する。
【０２９８】
受信部６１２は、送信部５１６により送信された操作データを受信する。通信端末装置５００の表示部５３０は、受信した操作データに基づく画像であって、表示コンテンツの少なくとも一部に関連する操作を行なうための操作画像（たとえば、図１５の商品データ画像ＭＧ３００）を表示する。通信部６１４は、通信端末装置５００の表示部５３０により表示されている操作画像に対する指示入力に基づいて、ネットワーク７０（インターネット）に接続されているサービスサーバ８００Ａからサービスを享受するためのデータ通信を、サービスサーバ８００Ａと行なう。
【０２９９】
なお、制御部５１０に含まれる、第１取得部５１２および送信部５１６の全てまたは一部は、ハードウエアで構成されてもよい。また、制御部６１０に含まれる、受信部６１２および通信部６１４の全てまたは一部は、ハードウエアで構成されてもよい。
【０３００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３０１】
【図１】本実施の形態におけるネットワークシステムの構成を示す図である。
【図２】通信端末装置の外観を正面から示した図である。
【図３】通信端末装置の内部構成を示したブロック図である。
【図４】映像表示装置の内部構成を示したブロック図である。
【図５】サービスサーバの内部構成を示したブロック図である。
【図６】一例としてのリモコン画像を示す図である。
【図７】一例としてのＷｅｂブラウザ画像を示す図である。
【図８】登録処理のフローチャートである。
【図９】一例としてユーザ識別情報登録テーブルを示す図である。
【図１０】操作判定処理Ｍおよび制御信号対応処理Ｔのフローチャートである。
【図１１】サイトアクセス処理のフローチャートである。
【図１２】一例としての表示能力データを示す図である。
【図１３】一例としての共通部データおよび商品データテーブルを示す図である。
【図１４】一例としてのＷｅｂ画像を示す図である。
【図１５】一例としての商品データ画像を示す図である。
【図１６】決済処理Ｍおよびサービスサーバで行なわれる処理のフローチャートである。
【図１７】一例としての購入商品データを示す図である。
【図１８】一例としての確認画像を示す図である。
【図１９】一例としての確認画像を示す図である。
【図２０】一例としての決済完了報知画像を示す図である。
【図２１】サイトアクセス処理Ａのフローチャートである。
【図２２】本発明の第１の実施の形態における２つの異なる制御部の機能ブロック図である。
【図２３】本発明の第２の実施の形態における２つの異なる制御部の機能ブロック図である。
【符号の説明】
【０３０２】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008131337.tif 000003
【図２】
2008131337.tif 000004
【図３】
2008131337.tif 000005
【図４】
2008131337.tif 000006
【図５】
2008131337.tif 000007
【図６】
2008131337.tif 000008
【図７】
2008131337.tif 000009
【図８】
2008131337.tif 000010
【図９】
2008131337.tif 000011
【図１０】
2008131337.tif 000012
【図１１】
2008131337.tif 000013
【図１２】
2008131337.tif 000014
【図１３】
2008131337.tif 000015
【図１４】
2008131337.tif 000016
【図１５】
2008131337.tif 000017
【図１６】
2008131337.tif 000018
【図１７】
2008131337.tif 000019
【図１８】
2008131337.tif 000020
【図１９】
2008131337.tif 000021
【図２０】
2008131337.tif 000022
【図２１】
2008131337.tif 000023
【図２２】
2008131337.tif 000024
【図２３】
2008131337.tif 000025